【手続補正書】
【提出日】平成17年11月30日(2005.11.30)
【手続補正１】
【補正対象書類名】明細書
【補正対象項目名】特許請求の範囲
【補正方法】変更
【補正の内容】
【特許請求の範囲】
【請求項１】
下記式（Ｉ）で表されるフェニルアントラセン誘導体である有機ＥＬ素子用化合物。
式（Ｉ）
Ａ１−Ｌ−Ａ２
〔式（Ｉ）において、Ａ１およびＡ２は、各々モノ（オルト置換フェニル）アントリル基またはジ（オルト置換フェニル）アントリル基を表し、これらは同一でも異なるものであってもよい。Ｌは単結合または二価の連結基を表す。〕
【請求項２】
下記化１または化２で表される請求項１の有機ＥＬ素子用化合物。
【化１】
2000344691.tif 000001
【化２】
2000344691.tif 000002
〔化１において、Ａｒ１〜Ａｒ４は、水素原子、アリール基、複素環アリール基またはアリールエテニル基を表し、Ａｒ１およびＡｒ２、Ａｒ３およびＡｒ４の少なくとも一方はアリール基、複素環アリール基またはアリールエテニル基である。Ｒ１およびＲ２は、各々アルキル基、アリール基、アリールエテニル基、アルコキシ基、またはアミノ基を表し、これらは同一でも異なるものであってもよい。ｒ１およびｒ２は、各々、０または１〜３の整数を表し、ｒ１およびｒ２が、各々、２以上の整数であるとき、Ｒ１同士およびＲ２同士は各々同一でも異なるものであってもよい。Ｒ３は、アルキル基またはアリール基を表し、ｒ３は、各々、０または１〜３の整数を表す。ｒ３が、２以上の整数であるとき、Ｒ３は各々同一でも異なるものであってもよい。Ｌ１は単結合またはアリーレン基を表し、アリーレン基はアルキレン基、−Ｏ−、−Ｓ−または−ＮＲ−（ここで、Ｒはアルキル基またはアリール基を表す。）が介在するものであってもよい。
化２において、Ａｒ５およびＡｒ６は、水素原子、アリール基、複素環アリール基またはアリールエテニル基を表し、Ａｒ５およびＡｒ６の少なくとも一方はアリール基、複素環アリール基またはアリールエテニル基である。Ｒ４は、各々アルキル基、アリール基、アリールエテニル基、アルコキシ基、またはアミノ基を表し、これらは同一でも異なるものであってもよい。ｒ４は、各々、０または１〜３の整数を表し、ｒ４が、各々、２以上の整数であるとき、Ｒ４同士は各々同一でも異なるものであってもよい。Ｒ５は、アルキル基またはアリール基を表し、ｒ５は、各々、０または１〜４の整数を表す。ｒ５が、２以上の整数であるとき、Ｒ５は各々同一でも異なるものであってもよい。Ｌ２は単結合またはアリーレン基を表し、アリーレン基はアルキレン基、−Ｏ−、−Ｓ−または−ＮＲ−（ここで、Ｒはアルキル基またはアリール基を表す。）が介在するものであってもよい。Ｌ２は単結合またはアリーレン基を表し、アリーレン基はアルキレン基、−Ｏ−、−Ｓ−または−ＮＲ−（ここで、Ｒはアルキル基またはアリール基を表す。）が介在するものであってもよい。〕
【請求項３】
前記化１において、Ａｒ１およびＡｒ２、Ａｒ３およびＡｒ４の少なくとも一方がフェニル基、ビフェニル基、ターフェニル基、スチリル基、フェニルスチリル基、ジフェニルスチリル基、チエニル基、メチルチエニル基、フェニルチエニル基またはフェニルビチエニル基である請求項２の有機ＥＬ素子用化合物。
【請求項４】
前記化２において、Ａｒ５およびＡｒ６、の少なくとも一方がフェニル基、ビフェニル基、ターフェニル基、スチリル基、フェニルスチリル基、ジフェニルスチリル基、チエニル基、メチルチエニル基、フェニルチエニル基またはフェニルビチエニル基である請求項２の有機ＥＬ素子用化合物。
【請求項５】
前記化１において、Ａｒ１およびＡｒ２、Ａｒ３およびＡｒ４の少なくとも一方がフェニル基、ビフェニル基またはターフェニル基であり、Ｌ１は単結合である請求項２の有機ＥＬ素子用化合物。
【請求項６】
前記化２において、Ａｒ５およびＡｒ６、の少なくとも一方がフェニル基、ビフェニル基またはターフェニル基であり、Ｌ２は単結合である請求項２の有機ＥＬ素子用化合物。
【請求項７】
請求項１の有機ＥＬ素子用化合物を含有する少なくとも１層の有機化合物層を有する有機ＥＬ素子。
【請求項８】
前記有機ＥＬ素子用化合物を含有する有機化合物層が発光層である請求項７の有機ＥＬ素子。
【請求項９】
さらに、少なくとも１層のホール注入層と、少なくとも１層のホール輸送層と、少なくとも１層の電子注入輸送層とを有する請求項８の有機ＥＬ素子。
【請求項１０】
さらに、少なくとも１層のホール注入層と、少なくとも１層のホール輸送層と、少なくとも１層の電子輸送層と、少なくとも１層の電子注入層とを有する請求項８の有機ＥＬ素子。
【請求項１１】
前記有機ＥＬ素子用化合物を含有する有機化合物層が電子注入輸送層であり、さらに発光層を有する請求項７の有機ＥＬ素子。
【請求項１２】
少なくとも１層の発光層を有し、この発光層が電子注入輸送性化合物とホール注入輸送性化合物との混合層であって、この混合層が前記有機ＥＬ素子用化合物を含有する請求項７の有機ＥＬ素子。
【請求項１３】
前記電子注入輸送性化合物は、前記有機ＥＬ素子用化合物であり、前記ホール注入輸送性化合物は、アミン、またはスチリルアミン系化合物である請求項１２の有機ＥＬ素子。
【手続補正２】
【補正対象書類名】明細書
【補正対象項目名】００１１
【補正方法】変更
【補正の内容】
【００１１】
【化４】
2000344691.tif 000003
【手続補正３】
【補正対象書類名】明細書
【補正対象項目名】００１２
【補正方法】変更
【補正の内容】
【００１２】
〔化１において、Ａｒ１〜Ａｒ４は、水素原子、アリール基、複素環アリール基またはアリールエテニル基を表し、Ａｒ１およびＡｒ２、Ａｒ３およびＡｒ４の少なくとも一方はアリール基、複素環アリール基またはアリールエテニル基である。Ｒ１およびＲ２は、各々アルキル基、アリール基、アリールエテニル基、アルコキシ基、またはアミノ基を表し、これらは同一でも異なるものであってもよい。ｒ１およびｒ２は、各々、０または１〜３の整数を表し、ｒ１およびｒ２が、各々、２以上の整数であるとき、Ｒ１同士およびＲ２同士は各々同一でも異なるものであってもよい。Ｒ３は、アルキル基またはアリール基を表し、ｒ３は、各々、０または１〜３の整数を表す。ｒ３が、２以上の整数であるとき、Ｒ３は各々同一でも異なるものであってもよい。Ｌ１は単結合またはアリーレン基を表し、アリーレン基はアルキレン基、−Ｏ−、−Ｓ−または−ＮＲ−（ここで、Ｒはアルキル基またはアリール基を表す。）が介在するものであってもよい。
化２において、Ａｒ５およびＡｒ６は、水素原子、アリール基、複素環アリール基またはアリールエテニル基を表し、Ａｒ５およびＡｒ６の少なくとも一方はアリール基、複素環アリール基またはアリールエテニル基である。Ｒ４は、各々アルキル基、アリール基、アリールエテニル基、アルコキシ基、またはアミノ基を表し、これらは同一でも異なるものであってもよい。ｒ４は、各々、０または１〜３の整数を表し、ｒ４が、各々、２以上の整数であるとき、Ｒ４同士は各々同一でも異なるものであってもよい。Ｒ５は、アルキル基またはアリール基を表し、ｒ５は、各々、０または１〜４の整数を表す。ｒ５が、２以上の整数であるとき、Ｒ５は各々同一でも異なるものであってもよい。Ｌ２は単結合またはアリーレン基を表し、アリーレン基はアルキレン基、−Ｏ−、−Ｓ−または−ＮＲ−（ここで、Ｒはアルキル基またはアリール基を表す。）が介在するものであってもよい。Ｌ２は単結合またはアリーレン基を表し、アリーレン基はアルキレン基、−Ｏ−、−Ｓ−または−ＮＲ−（ここで、Ｒはアルキル基またはアリール基を表す。）が介在するものであってもよい。〕
（３） 前記化１において、Ａｒ１およびＡｒ２、Ａｒ３およびＡｒ４の少なくとも一方がフェニル基、ビフェニル基、ターフェニル基、スチリル基、フェニルスチリル基、ジフェニルスチリル基、チエニル基、メチルチエニル基、フェニルチエニル基またはフェニルビチエニル基である上記（２）の有機ＥＬ素子用化合物。
（４） 前記化２において、Ａｒ５およびＡｒ６、の少なくとも一方がフェニル基、ビフェニル基、ターフェニル基、スチリル基、フェニルスチリル基、ジフェニルスチリル基、チエニル基、メチルチエニル基、フェニルチエニル基またはフェニルビチエニル基である上記（２）の有機ＥＬ素子用化合物。
（５） 前記化１において、Ａｒ１およびＡｒ２、Ａｒ３およびＡｒ４の少なくとも一方がフェニル基、ビフェニル基またはターフェニル基であり、Ｌ１は単結合である上記（２）の有機ＥＬ素子用化合物。
（６） 前記化２において、Ａｒ５およびＡｒ６、の少なくとも一方がフェニル基、ビフェニル基またはターフェニル基であり、Ｌ２は単結合である上記（２）の有機ＥＬ素子用化合物。
（７） 上記（１）の有機ＥＬ素子用化合物を含有する少なくとも１層の有機化合物層を有する有機ＥＬ素子。
（８） 前記有機ＥＬ素子用化合物を含有する有機化合物層が発光層である上記（７）の有機ＥＬ素子。
（９） さらに、少なくとも１層のホール注入層と、少なくとも１層のホール輸送層と、少なくとも１層の電子注入輸送層とを有する上記（８）の有機ＥＬ素子。
（１０） さらに、少なくとも１層のホール注入層と、少なくとも１層のホール輸送層と、少なくとも１層の電子輸送層と、少なくとも１層の電子注入層とを有する上記（８）の有機ＥＬ素子。
（１１） 前記有機ＥＬ素子用化合物を含有する有機化合物層が電子注入輸送層であり、さらに発光層を有する上記（７）の有機ＥＬ素子。
（１２） 少なくとも１層の発光層を有し、この発光層が電子注入輸送性化合物とホール注入輸送性化合物との混合層であって、この混合層が前記有機ＥＬ素子用化合物を含有する上記（７）の有機ＥＬ素子。
（１３） 前記電子注入輸送性化合物は、前記有機ＥＬ素子用化合物であり、前記ホール注入輸送性化合物は、アミン、またはスチリルアミン系化合物である上記（１２）の有機ＥＬ素子。